(57)【特許請求の範囲】
【請求項１】
容器(C1,C2)を載置可能な容器スタンドであって、
前記容器(C1)が載置可能な第１載置台(T1)と、
前記第１載置台(T1)から上方へ離間して容器(C2)を載置可能な第１位置および該第１載置台(T1)の上方から退避する第２位置に姿勢変位可能な第２載置台(T2)と、
前記第２載置台(T2)を常に第１位置に向けて付勢する付勢手段(23)とを備え、
前記第２載置台(T2)は、容器(C2)が載置可能な載置部(23)と、前記第１載置台(T1)に対する前記容器(C1)の出し入れ方向と直交するよう延在する支軸(44)に揺動可能に支持され、前記載置部(23)が取り付けられた可動支持体(31)とを備え、
前記第２載置台(T2)は、前記第１位置において該第２載置台(T2)の重心(G)が、前記第１載置台(T1)に対する容器(C1)の出し入れ方向において、前記支軸(44)より第２位置側で、かつ該支軸(44)より下方に位置するように規制手段(38A,45)で支持され、
前記第２載置台(T2)は、該第２載置台(T2)の自重を前記付勢手段(23)として常に第１位置に向けて付勢されるよう構成され、
前記第２載置台(T2)は、前記第１載置台(T1)への前記容器(C1)の載置時に該容器(C1)で押されて付勢手段(23)の付勢力に抗して前記第１位置から第２位置へ姿勢変位し、前記第１載置台(T1)から容器(C1)を取り除くことで、付勢手段(23)の付勢力によって第１位置へ自動復帰するよう構成される
ことを特徴とする容器スタンド。
【請求項２】
容器(C1,C2)を載置可能な容器スタンドであって、
前記容器(C1)が載置可能な第１載置台(T1)と、
前記第１載置台(T1)から上方へ離間して容器(C2)を載置可能な第１位置および該第１載置台(T1)の上方から退避する第２位置に姿勢変位可能な第２載置台(T2)と、
前記第２載置台(T2)を常に第１位置に向けて付勢する付勢手段(87)とを備え、
前記第２載置台(T2)は、上下方向に延在する支軸(72)に回転可能に支持され、
前記第２載置台(T2)は、第１位置から第２位置へ前記支軸(72)を中心として旋回するよう構成され、
前記第２載置台(T2)は、前記第１載置台(T1)への前記容器(C1)の載置時に該容器(C1)で押されて付勢手段(87)の付勢力に抗して前記第１位置から第２位置へ姿勢変位し、前記第１載置台(T1)から容器(C1)を取り除くことで付勢手段(87)の付勢力によって第１位置へ自動復帰するよう構成される
ことを特徴とする容器スタンド。
【請求項３】
前記第２載置台(T2)は、前記支軸(72)に夫々回転可能に支持された一対の載置体(80,81)から構成され、
前記両載置体(80,81)は、連係手段(85)により連動可能に連係され、前記第１位置では前記付勢手段(87)の付勢力によって互いに近接して前記容器(C2)の載置を可能とし、前記第２位置では互いに離間して前記第１載置台(T1)に対する前記容器(C1)の載置を許容するよう構成された請求項２記載の容器スタンド。
【発明の詳細な説明】
【技術分野】
【０００１】
この発明は、高さ寸法が異なる２つの容器を、両容器の上部開口縁が同じ高さとなるよう載置可能な容器スタンドに関するものである。
【背景技術】
【０００２】
ジュース等の飲料水や氷等を入れる容器は、内容量に応じて形状やサイズ(径や高さ寸法)が異なるものが複数ある。このため、飲料水を生成して注出する飲料ディスペンサや氷塊を生成して放出するアイスディスペンサでは、飲料注出部または氷放出部の下方に、複数の異なるサイズの容器をセット可能な容器セット部が設けられている。このような異なるサイズの容器をセット可能な容器セット部を備えた氷ディスペンサが、特許文献１に開示されている。しかしながら、特許文献１の氷ディスペンサに設けられた容器セット部は、上方に向かうにつれて拡開するテーパ形状でかつ高さ寸法が異なる各容器の上部を保持することを前提とするものであり、上下方向に同径のストレート形状の容器は保持することが不可能である。
【０００３】
そこで、図１６に示すような容器スタンドＳ２が提案されている。この容器スタンドＳ２は、上下方向に同径なストレート形状の第１容器Ｃ１(図１６(ｂ))と、上下方向に同径なストレート形状で第１容器Ｃ１より高さが低い第２容器Ｃ２(図１６(ａ))とを、各容器Ｃ１,Ｃ２の上部開口縁１９が同じ高さ位置となるよう載置可能に構成されている。すなわち容器スタンドＳ２は、第１容器Ｃ１を載置する第１載置台１０２と、第１載置台１０２の上方に配設されて第２容器Ｃ２を載置する第２載置台１０４とを備えている。第１載置台１０２は、簀の子状に形成されたベース部材１０１の中央に設けられ、第２載置台１０４は、ベース部材１０１の中央後側に取り付けられたブラケット１０３に取り付けられている。ブラケット１０３は、ベース部材１０１に固定された第１ブラケット１０５と、第１ブラケット１０５に対して前後方向へ回転可能に設けられ、水平前方へ延出した第１姿勢および垂直上方へ起立した第２姿勢に姿勢変位する第２ブラケット１０６とからなり、第２ブラケット１０６に第２載置台１０４が設けられている。このような従来の容器スタンドＳ２は、図１６(ａ)に示すように、第２ブラケット１０６を第１姿勢として第２載置台１０４を第１載置台１０２の真上となる第１位置に保持することで、第２容器Ｃ２を該第２載置台１０４に載置可能であり、図１６(ｂ)に示すように、第２ブラケット１０６を第２姿勢として第２載置台１０４を第１載置台１０２の上方から退避した第２位置とすることで、第１容器Ｃ１を該第１載置台１０２に載置可能に構成されている。
【先行技術文献】
【特許文献】
【０００４】
【特許文献１】特開２００２−２４３３２３号公報
【発明の概要】
【発明が解決しようとする課題】
【０００５】
しかしながら、図１６に例示する従来の容器スタンドＳ２は、第２ブラケット１０６の第１姿勢から第２姿勢への姿勢変位および該第２ブラケット１０６の第２姿勢から第１姿勢への姿勢変位を、手動によって行なうように構成されている。すなわち、第２ブラケット１０６が第１姿勢に保持されている状態で第１容器Ｃ１を第１載置台１０２に載置する際には、先ず第２ブラケット１０６を第２姿勢に手動で姿勢変位させる必要があり、第１容器Ｃ１を第１載置台１０２に載置するのに手間が掛かる。また、第２姿勢となっている第２ブラケット１０６は、垂直に起立した状態に保持されるため、第１姿勢へは手動で姿勢変位させなければならない。このため、第２ブラケット１０６が第２姿勢に保持されている状態で第２容器Ｃ２を第２載置台１０４に載置する際には、先ず第２ブラケット１０６を第１姿勢に手動で姿勢変位させる必要があり、第２容器Ｃ２を第２載置台１０４に載置するのに手間が掛かる。しかも、前記容器スタンドＳ２の機能を知らない使用者の場合には、第２ブラケット１０６が第２姿勢に保持されている状態で第２容器Ｃ２を使用する際に、第２ブラケット１０６を第１姿勢に姿勢変位させずに第１載置台１０２に第２容器Ｃ２を載置して、飲料水または氷塊を該第２容器Ｃ２に注入または放出することもあり得る。第２容器Ｃ２を第１載置台１０２に載置した場合には、該第２容器Ｃ２の上部開口縁と飲料注出部または氷放出部との距離が大きくなるから、飲料や氷塊が該第２容器Ｃ２に入らずに零れ易くなる不都合がある。
【０００６】
本発明は、従来の容器スタンドに内在する前記問題に鑑み、これを好適に解決するべく提案されたものであって、各容器を載置台へ簡易に載置し得ると共に適切に使用し得るよう構成した容器スタンドを提供することを目的とする。
【課題を解決するための手段】
【０００７】
前記課題を克服し、所期の目的を達成するため、本願の請求項１に係る発明では、
容器を載置可能な容器スタンドであって、
前記容器が載置可能な第１載置台と、
前記第１載置台から上方へ離間して容器を載置可能な第１位置および該第１載置台の上方から退避する第２位置に姿勢変位可能な第２載置台と、
前記第２載置台を常に第１位置に向けて付勢する付勢手段とを備え、
前記第２載置台は、容器が載置可能な載置部と、前記第１載置台に対する前記容器の出し入れ方向と直交するよう延在する支軸に揺動可能に支持され、前記載置部が取り付けられた可動支持体とを備え、
前記第２載置台は、前記第１位置において該第２載置台の重心が、前記第１載置台に対する容器の出し入れ方向において、前記支軸より第２位置側で、かつ該支軸より下方に位置するように規制手段で支持され、
前記第２載置台は、該第２載置台の自重を前記付勢手段として常に第１位置に向けて付勢されるよう構成され、
前記第２載置台は、前記第１載置台への前記容器の載置時に該容器で押されて付勢手段の付勢力に抗して前記第１位置から第２位置へ姿勢変位し、前記第１載置台から容器を取り除くことで、付勢手段の付勢力によって第１位置へ自動復帰するよう構成されることを要旨とする。
【０００８】
従って、請求項１に係る発明によれば、第１載置台に容器を載置する際に該容器で第２載置台を押すことで、該第２載置台が第１位置から第２位置へ姿勢変位し、第１載置台に対して容器を簡易に載置することができる。また、容器を第１載置台から取り出すことで、第２載置台が付勢手段によって第１位置に自動で復帰するので、第１位置の第２載置台に対して容器を簡易に載置することができる。すなわち、高さ寸法の異なる容器を第１載置台または第２載置台に選択して載置することで、両容器の上部開口縁を略同じ高さにすることができる。
そして、第２載置台の自重によって該第２載置台を第１位置に付勢するように構成したので、極めて簡単な構成とすることができる。また、第２載置台が第１位置に自重によって保持されるので、該第２載置台に容器を安定して載置し得る。
【００１０】
請求項２に係る発明では、
容器を載置可能な容器スタンドであって、
前記容器が載置可能な第１載置台と、
前記第１載置台から上方へ離間して容器を載置可能な第１位置および該第１載置台の上方から退避する第２位置に姿勢変位可能な第２載置台と、
前記第２載置台を常に第１位置に向けて付勢する付勢手段とを備え、
前記第２載置台は、上下方向に延在する支軸に回転可能に支持され、
前記第２載置台は、第１位置から第２位置へ前記支軸を中心として旋回するよう構成され、
前記第２載置台は、前記第１載置台への前記容器の載置時に該容器で押されて付勢手段の付勢力に抗して前記第１位置から第２位置へ姿勢変位し、前記第１載置台から容器を取り除くことで付勢手段の付勢力によって第１位置へ自動復帰するよう構成されることを要旨とする。
従って、請求項２に係る発明によれば、第１載置台に容器を載置する際に該容器で第２載置台を押すことで、該第２載置台が第１位置から第２位置へ姿勢変位し、第１載置台に対して容器を簡易に載置することができる。また、容器を第１載置台から取り出すことで、第２載置台が付勢手段によって第１位置に自動で復帰するので、第１位置の第２載置台に対して容器を簡易に載置することができる。すなわち、高さ寸法の異なる容器を第１載置台または第２載置台に選択して載置することで、両容器の上部開口縁を略同じ高さにすることができる。
そして、付勢手段の付勢力によって第２載置台を第１位置に付勢するように構成したので、該第２載置台を第１位置に適切に保持することができる。また、第２載置台が第１位置に付勢手段の付勢力によって付勢保持されるので、該第２載置台に容器を安定して載置し得る。
【００１１】
請求項３に係る発明では、
前記第２載置台は、前記支軸に夫々回転可能に支持された一対の載置体から構成され、
前記両載置体は、連係手段により連動可能に連係され、前記第１位置では前記付勢手段の付勢力によって互いに近接して前記容器の載置を可能とし、前記第２位置では互いに離間して前記第１載置台に対する前記容器の載置を許容するよう構成されたことを要旨とする。
従って、請求項３に係る発明によれば、第２載置台が一対の載置体から構成されると共に、両載置体が連係手段により連動するので、該第２載置台は、第２容器を載置可能な第１位置と、第１載置台の上方から回避した第２位置との間を適切に姿勢変位する。
【発明の効果】
【００１２】
本発明に係る容器スタンドによれば、各容器を載置台へ簡易に載置し得ると共に適切に使用することができる。
【図面の簡単な説明】
【００１３】
【図１】実施例の容器スタンドが配設されたアイスディスペンサの全体斜視図である。
【図２】図１のII−II線断面図である。
【図３】第１実施例の容器スタンドの全体斜視図である。
【図４】第１実施例の容器スタンドの平面図である。
【図５】第１実施例の容器スタンドの分解斜視図である。
【図６】第２容器を第２載置台に載置した第１実施例の容器スタンドの正面図である。
【図７】第２容器を第２載置台に載置した第１実施例の容器スタンドの右側面図である。
【図８】第１容器を第１載置台に載置した第１実施例の容器スタンドの正面図である。
【図９】第１容器を第１載置台に載置した第１実施例の容器スタンドの右側面図である。
【図１０】第２実施例の容器スタンドの全体斜視図である。
【図１１】第２実施例の容器スタンドの平面図であって、(ａ)は、一対の載置体が近接した状態を示し、(ｂ)は、一対の載置体が左右に離間した状態を示している。
【図１２】第２容器を第２載置台に載置した第２実施例の容器スタンドの正面図である。
【図１３】第２容器を第２載置台に載置した第２実施例の容器スタンドの右側面図である。
【図１４】第１容器を第１載置台に載置した第２実施例の容器スタンドの正面図である。
【図１５】第１容器を第１載置台に載置した第２実施例の容器スタンドの右側面図である。
【図１６】従来の容器スタンドの一例を示す斜視図であって、(ａ)は、第２容器を第２載置台に載置した状態を示し、(ｂ)は、第１容器を第１載置台に載置した状態を示している。
【発明を実施するための形態】
【００１４】
次に、本発明に係る容器スタンドにつき、好適な実施例を挙げて、添付図面を参照しながら以下に説明する。各実施例では、図１に示すアイスディスペンサＩＤに配設される容器スタンドを例示する。なお、容器スタンドをアイスディスペンサＩＤに配設した状態において、該アイスディスペンサＩＤの前側正面から見た状態を基準として、左右方向、前後方向および上下方向を規定して説明する。
【実施例】
【００１５】
(第１実施例)
図１は、第１実施例に係る容器スタンドＳ１が配設されたアイスディスペンサＩＤの概略斜視図である。このアイスディスペンサＩＤは、内部に貯氷室(図示せず)が画成された貯氷装置１０と、この貯氷装置１０の上部に配設された製氷装置１１と、貯氷装置１０の上部に配設された氷放出装置１２とを備えている。前記製氷装置１１と貯氷装置１０とは、上下に延在する放出シュート１３を介して連通されており、製氷装置１１で生成された氷塊は、該放出シュート１３を介して貯氷装置１０の貯氷室内に落下放出される。また貯氷室には、氷放出装置１２へ氷塊を搬送する氷搬送装置(図示せず)が配設されており、貯氷室内に貯留された氷塊は該氷搬送装置により氷放出装置１２へ搬送される。
【００１６】
前記氷放出装置１２は、図１に示すように、貯氷装置１０における左前側に配設され、氷搬送装置で搬送された氷塊を放出する放出部１４が設けられると共に、該氷放出装置１２を覆うカバー部材１５の前面には、氷搬送装置を作動させる放出スイッチ１６が配設されている。そして、放出部１４の下方は、前方に開口した容器セット部１７が設けられ、該容器セット部１７の底部に、第１実施例の容器スタンドＳ１が配設されている。従って、後述する容器(第１容器Ｃ１または第２容器Ｃ２)を第１実施例の容器スタンドＳ１に載置してセットしたもとで放出スイッチ１６を操作することで、放出部１４から放出された氷塊が該容器Ｃ１,Ｃ２内に放出され得る。
【００１７】
第１実施例の容器スタンドＳ１は、図２に示すように、高さ寸法ｈ１の第１容器Ｃ１または該第１容器Ｃ１より高さが低い高さ寸法ｈ２の第２容器Ｃ２を、両容器Ｃ１,Ｃ２の上部開口縁１９が略同じ高さとなるようセット可能に構成されている。すなわち、第１実施例の容器スタンドＳ１は、図３〜図５に示すように、ベース部材２０の上面に取り付けられた第１載置体２１を備え、第１容器Ｃ１を載置する第１載置台Ｔ１と、ベース部材２０の上面に固定したブラケット３０に支持された可動支持体３１に取り付けられた第２載置体(載置部)２３を備え、第２容器Ｃ２を載置する第２載置台Ｔ２とから構成されている。そして、第１実施例の容器スタンドＳ１は、第１載置台Ｔ１に載置した第１容器Ｃ１の上部開口縁１９と第２載置台Ｔ２に載置した第２容器Ｃ２の上部開口縁１９との位置を略同じ高さとすることで、両容器Ｃ１,Ｃ２の上部開口縁１９から放出部１４の下端までの距離Ｗが略同一となるように構成されている。
【００１８】
前記第１載置台Ｔ１を構成するベース部材２０は、図３〜図５に示すように、ステンレス板からプレス成形された横長で矩形の逆トレー状の成形部材である。ベース部材２０は、横長矩形をなす支持板部２４と、この支持板部２４の左右および前後の各縁から下方へ折り曲げられた外縁部２５とから構成されている。そして、支持板部２４の略中央には円形の開口２６が形成されており、この開口２６には第１載置体２１が取り付けられるようになっている。また、支持板部２４における開口２６の後側には、前記ブラケット３０を固定するためのブラケット取付部２７が設けられている。更に、支持板部２４には、開口２６の左側、右側および前側に複数のスリット２８が形成されており、該支持板部２４の上面に零れた氷が溶けて生じた氷解水を、該スリット２８を介して下方へ落下させ得るようになっている。
【００１９】
前記第１載置体２１は、図３〜図５に示すように、円形状に形成された容器受部５０と、容器受部５０の外周縁に形成されて上方へ突出する外縁部５１とから構成されている。容器受部５０の中央部には排水口５２が形成され、該容器受部５０の上面に落下した飲料水や氷が溶けて生じた氷解水が、該排水口５２を介して下方へ排出可能に構成されている。第１載置体２１は、外縁部５１での直径がベース部材２０に形成した開口２６の直径より大きく設定され、容器受部５０の外径が該開口２６の直径と同一または僅かに小さく設定されている。従って第１載置体２１は、容器受部５０が開口２６に嵌合すると共に外縁部５１がベース部材２０の支持板部２４に当接した状態で、ベース部材２０に固定されている。なお第１載置体２１は、合成樹脂製の成形部材であり、出し入れする第１容器Ｃ１の接触による衝撃を緩和して該容器Ｃ１が傷付いたり破損するのを防止し得るようになっており、ガラス製の第１容器Ｃ１も好適に使用可能である。
【００２０】
前記ブラケット３０は、図２〜図５に示すように、ベース部材２０の上面に固定され、左右に分割されて左右対称形状に形成された第１支持体３２および第２支持体３３から構成されている。第１支持体３２および第２支持体３３は、ベース部材２０の支持板部２４の上面に固定される固定部３４と、該固定部３４の一端(第１支持体３２は左端で、第２支持体３３は右端)から垂直に立設された板状の支持部３５とを備えている。固定部３４には、ベース部材２０の支持板部２４の上面に固定するためのネジ(図示せず)が挿通される２個のネジ挿通孔３６,３６が、左右に離間して形成されている。支持部３５には、可動支持体３１に固定された支軸４４が挿通するスリーブ３９が装着される支持孔３７が、上縁において前方へ延出した延出部３５Ａに形成されている。また支持部３５には、支軸４４を中心とした円弧状のガイド溝３８が、該支持部３５の前端近傍から後上方に向けて延在するように形成されている。このような第１支持体３２および第２支持体３３からなるブラケット３０は、該第１支持体３２および第２支持体３３を、各々の固定部３４,３４が左右方向で隣接するようにベース部材２０に固定され、各支持部３５,３５が左右方向に所要距離離間した状態で対向して立設され、各支持孔３７,３７は左右方向において水平に延在する軸心上に位置している。
【００２１】
前記第２載置台Ｔ２を構成する可動支持体３１は、図４および図５に示すように、単一の部材からなり、左右に水平に延在して前記第２載置体２３が取り付けられる取付部４０と、取付部４０の左端から上方へ延出した左支持アーム４１および該取付部４０の右端から上方へ延出した右支持アーム４２とを備えている。左支持アーム４１の左側面と右支持アーム４２の右側面との左右方向での距離Ｌ１は、ブラケット３０における第１支持体３２の支持部３５の右側面と第２支持体３３の支持部３５の左側面との間の距離Ｌ２より、僅かに小さく設定されている(図６参照)。取付部４０には、第２載置体２３を固定するためのネジ(図示せず)が挿通される２個のネジ挿通孔４３,４３が、左右に離間して形成されている。
【００２２】
図２、図５および図７に示すように、各支持アーム４１,４２は、左右方向において垂直で上方に向かうにつれて前側へ僅かに傾斜するよう形成されており、上部は前斜め上方へ屈曲している。左支持アーム４１の左側面上部には、左方へ水平に延出するよう前記支軸４４が固定されていると共に、右支持アーム４２の右側面上部には、右方へ水平に延出するよう前記支軸４４が固定されている。また、左支持アーム４１の左側面の上下中央よりやや下方には、第１支持体３２に設けられたガイド溝３８に左方から突入するガイドピン４５が設けられると共に、右支持アーム４２の右側面の上下中央よりやや下方には、第２支持体３３に設けられたガイド溝３８に右方から突入するガイドピン４５が設けられている。
【００２３】
前述のように構成された可動支持体３１は、図３〜図５に示すように、左支持アーム４１に設けられた支軸４４を、ブラケット３０における第１支持体３２の支持孔３７に装着されたスリーブ３９に挿通させると共に、右支持アーム４２に設けられた支軸４４を、第２支持体３３の支持孔３７に装着されたスリーブ３９に挿通させることで、ブラケット３０に揺動可能に取り付けられる。また、左支持アーム４１に設けられたガイドピン４５が、第１支持体３２に設けられたガイド溝３８に移動自在に遊嵌すると共に、右支持アーム４２に設けられたガイドピン４５が、第２支持体３３に設けられたガイド溝３８に移動自在に遊嵌している。従って可動支持体３１は、各支軸４４,４４を中心として、第１載置台Ｔ１の第１載置体２１に対する第１容器Ｃ１の出し入れ方向である前後方向に揺動し、該可動支持体３１の揺動に際して各ガイドピン４５,４５が対応のガイド溝３８,３８に沿って移動するようになり、各ガイド溝３８,３８に対する各ガイドピン４５,４５の移動範囲内において揺動が許容される。
【００２４】
そして可動支持体３１は、各ガイドピン４５,４５が対応のガイド溝３８,３８の前端３８Ａに当接した状態が第２載置体２３の第１位置に対応する第１姿勢(図６、図７)とされ、各ガイドピン４５,４５が対応のガイド溝３８,３８の後端に近接または当接した状態が第２載置体２３の第２位置に対応する第２姿勢(図８、図９)とされる。そして、各ガイドピン４５,４５と各ガイド溝３８,３８の前端３８Ａとは、該ガイドピン４５,４５が前端３８Ａ,３８Ａに後方から当接すると可動支持体３１が第１姿勢より前方への揺動することを規制するようになり、これらガイドピン４５およびガイド溝３８の前端３８Ａは、可動支持体３１の揺動を規制する規制手段を構成する。なお、各スリーブ３９,３９に挿通された支軸４４,４４の先端にＥリング４７が装着され、該スリーブ３９,３９からの該支軸４４,４４の抜け止めが図られている。
【００２５】
前記第２載置体２３は、図３および図５に示すように、円形状に形成された容器受部５５と、容器受部５５の外周縁に形成されて上方へ突出する外縁部５１とから構成され、前縁部には後側へ円弧状に凹んだ凹部５７が形成されている。容器受部５５の中央部には排水口５８が形成され、該容器受部５５の上面に落下した飲料水や氷が溶けて生じた氷解水を、該排水口５８を介して下方へ排出可能に構成されている。また、容器受部５５の底部には、可動支持体３１の取付部４０に設けられたネジ挿通孔４３,４３に整合するネジ締結孔４６,４６が形成されており、取付部４０の下方からネジ挿通孔４３,４３に挿通させた各ネジ(図示せず)を該ネジ締結孔４６,４６に各々締結することで、第２載置体２３が可動支持体３１に対して固定される。なお第２載置体２３は、合成樹脂製の成形部材であり、出し入れする第２容器Ｃ２の接触による衝撃を緩和して該容器Ｃ２が傷付いたり破損するのを防止し得るようになっており、ガラス製の第２容器Ｃ２も好適に使用可能である。更に第２載置体２３は、第１載置体２１に対し出し入れする第１容器Ｃ１の接触による衝撃を緩和して該容器Ｃ１が傷付いたり破損するのを防止し得るから、ガラス製の第１容器Ｃ１も好適に使用可能である。
【００２６】
前記第２載置台Ｔ２は、ブラケット３０に取り付けられた可動支持体３１が、第１載置台Ｔ１の第１載置体２１に対する第１容器Ｃ１の出し入れ方向である前後方向に揺動することで、第２載置体２３が第１載置体２１の真上となる第１位置(図６、図７参照)と、該第２載置体２３が第１載置体２１の真上から後方へ退避した第２位置(図８、図９参照)との間を姿勢変位するよう構成されている。すなわち可動支持体３１は、第１位置に対応する第１姿勢と、第２位置に対応する第２姿勢との間で揺動するよう構成されている。
【００２７】
可動支持体３１に第２載置体２３が取り付けられた第２載置台Ｔ２は、図２に示すように、第１位置(可動支持体３１の第１姿勢)における該第２載置台Ｔ２の重心Ｇが、ガイドピン４５,４５がガイド溝３８,３８の前端３８Ａに当接することで、支軸４４より後方(第２位置側)でかつ該支軸４４より下方に位置するように構成されている。すなわち、第２載置体２３を固定した可動支持体３１は、ガイドピン４５,４５がガイド溝３８,３８の前端３８Ａで規制されていない場合では、該第２載置台Ｔ２の重心Ｇが支軸４４の真下となる位置まで前方へ揺動した姿勢で釣り合うようになっている。しかし、前述したように、第２載置体２３の第１位置(可動支持体３１の第１姿勢)では、ガイド溝３８,３８の前端３８Ａにガイドピン４５,４５が当接するため、可動支持体３１が第１姿勢から更に前方へ揺動することが規制される。
【００２８】
従って第２載置台Ｔ２は、第１位置(可動支持体３１の第１姿勢)においては、該第２載置台Ｔ２の自重により後方から付勢された状態と同じ状態が発現するようになり、第１位置に停止保持されるようになっている。すなわち第２載置台Ｔ２は、第２載置体２３および可動支持体３１を所謂付勢手段として、該第２載置台Ｔ２の自重により常に第１位置に向けて付勢されるように構成されている。また、第２載置体２３の前部が後方に向けて押された際には、可動支持体３１が支軸４４,４４を中心として後方へ揺動することで、図８および図９に示すように、第２載置体２３は前下がりの傾斜状に姿勢変位して第２位置に移動する。
【００２９】
そして、図２に示すように、第２載置台Ｔ２の第１位置においては、第１載置体２１の容器受部５５の上面から第２載置体２３の容器受部５５の上面までの垂直方向での距離Ｈが、第１容器Ｃ１の高さ寸法ｈ１と第２容器Ｃ２の高さ寸法ｈ１の差(ｈ１−ｈ２)と略同じに設定されている。従って、第１実施例の容器スタンドＳ１は、第１載置台Ｔ１の第１載置体２１に載置された第１容器Ｃ１の上部開口縁１９の高さ位置と、第２載置台Ｔ２の第２載置体２３に載置された第２容器Ｃ２の上部開口縁１９の高さ位置とが、略同じになるようになっている。
【００３０】
なお、第１実施例の容器スタンドＳ１では、第１載置台Ｔ１の第１載置体２１に載置した第１容器Ｃ１の上部開口縁１９から放出部１４の下端までの距離と、第２載置台Ｔ２の第２載置体２３に載置した第２容器Ｃ２の上部開口縁１９から放出部１４の下端までの距離とは、該放出部１４から放出された氷塊が各容器Ｃ１,Ｃ２の外に零れない距離とされる。具体的に、各容器Ｃ１,Ｃ２の上部開口縁１９から放出部１４の下端までの距離Ｗは、１０〜２０ｍｍ程度とすることが望ましい。
【００３１】
(第１実施例の作用)
前述のように構成された第１実施例の容器スタンドＳ１は、第１載置台Ｔ１および第２載置台Ｔ２の何れも使用されていない状態では、第２載置台Ｔ２の自重と、ガイドピン４５がガイド溝３８の前端３８Ａに当接することで、第２載置台Ｔ２は、第２載置体２３が第１載置台Ｔ１の第１載置体２１の真上で水平姿勢となる第１位置に保持される。すなわち、第１実施例の容器スタンドＳ１は、第１容器Ｃ１および第２容器Ｃ２が載置されていない場合に、第２載置台Ｔ２が第２位置に保持された状態とならないから、第２容器Ｃ２を第１載置台Ｔ１の第１載置体２１に載置して氷塊を放出するという誤使用が好適に防止される。
【００３２】
第１載置台Ｔ１に第１容器Ｃ１を載置する場合には、図８および図９に示すように、該第１容器Ｃ１を前側から第１載置体２１に載置する際に、該第１容器Ｃ１が第２載置台Ｔ２の第２載置体２３の凹部５７に当接するようになる。これにより第２載置台Ｔ２は、可動支持体３１が各支軸４４,４４を中心として後方へ揺動することで、第２載置体２３が後方へ移動しながら前下がりの姿勢に変位し、該第２載置体２３が第１載置体２１の上方から後方へ退避する。従って、第１載置台Ｔ１の第１載置体２１に対して第１容器Ｃ１の載置が可能となる。第１載置台Ｔ１の第１載置体２１に載置した第１容器Ｃ１は、該第１容器Ｃ１の上部開口縁１９が放出部１４の下端から距離Ｗで離間しているから、該放出部１４から放出された氷塊が該第１容器Ｃ１内に適切に放出され、該第１容器Ｃ１の外部に零れることが防止される。また、前方へ傾斜した第２載置体２３における凹部５７の左右部が前方へ適宜突出するようになるから、第１容器Ｃ１は、凹部５７に当接することで左右方向への倒れが防止される。
【００３３】
そして、所定の氷塊の放出が完了して第１容器Ｃ１を第１載置台Ｔ１から取り出すと、第２載置台Ｔ２は、該第２載置台Ｔ２の自重により、可動支持体３１が第１姿勢に姿勢変位すると共に第２載置体２３が第１載置体２１の真上となる第１位置に姿勢変位して停止する。すなわち第２載置台Ｔ２は、第１載置台Ｔ１から第１容器Ｃ１が取り除かれると、該第２載置台Ｔ２の自重により第１位置に自動復帰すると共に、ガイドピン４５,４５がガイド溝３８,３８の前端３８Ａに当接することで第１位置に位置規制される。
【００３４】
第２載置台Ｔ２に第２容器Ｃ２を載置する場合には、図６および図７に示すように、第１位置に保持されている該第２載置台Ｔ２に対して、該第２容器Ｃ２を前側から載置するだけである。第２載置台Ｔ２は、該第２載置台Ｔ２の自重により第１位置に保持されているから、第２容器Ｃ２を容器受部５５に載置する際に不用意に揺動することが防止される。第２載置台Ｔ２の第２載置体２３に載置した第２容器Ｃ２は、該第２容器Ｃ２の上部開口縁１９が放出部１４の下端から適切な距離Ｗで位置しているから、該放出部１４から放出された氷塊が該第２容器Ｃ２内に適切に放出され、該第２容器Ｃ２の外部に零れることが防止される。また、可動支持体３１の左支持アーム４１および右支持アーム４２が、第２載置体２３に載置した第２容器Ｃ２の左右に夫々位置するから、第２容器Ｃ２は左右方向への倒れが防止される。
【００３５】
従って、第１実施例の容器スタンドＳ１によれば、第１載置台Ｔ１の第１載置体２１に第１容器Ｃ１を載置することで、該第１容器Ｃ１の上部開口縁１９と放出部１４との距離Ｗが適切な範囲内となり、該放出部１４から放出された氷塊が該第１容器Ｃ１内に適切に放出され、該氷塊が該第１容器Ｃ１から零れることを防止し得る。また、第２載置台Ｔ２の第２載置体２３に第２容器Ｃ２を載置することで、該第２容器の上部開口縁１９と放出部１４との距離Ｗが適切な範囲内となり、該放出部１４から放出された氷塊が該第２容器Ｃ２内に適切に放出され、該氷塊が該第２容器Ｃ２から零れることを防止し得る。
【００３６】
そして、容器スタンドＳ１の非使用時には、第２載置台Ｔ２が、第２載置体２３が第１載置台Ｔ１の第１載置体２１の真上である第１位置に、該第２載置台Ｔ２の自重および規制手段(ガイドピン４５およびガイド溝３８)により保持されるから、第２容器Ｃ２を第１載置台Ｔ１の第１載置体２１に載置した状態で放出部１４から氷塊を放出する誤使用を防止することができる。また、第１容器Ｃ１を第１載置台Ｔ１の第１載置体２１に載置する際には、該第１容器Ｃ１で第２載置台Ｔ２を押すだけで、該第２載置体台Ｔ２が後方へ揺動して第１位置から第２位置へ姿勢変位するから、第１容器Ｃ１を把持した片方の手だけで第１容器Ｃ１を第１載置台Ｔ１に載置させることができ、第１載置台Ｔ１に対する第１容器Ｃ１の載置に手間が掛からない。同様に、第１載置台Ｔ１の第１載置体２１に載置していた第１容器Ｃ１を取り出すことで、第２載置台Ｔ２が第１位置へ該第２載置体Ｔ２の自重により姿勢変位するから、第１容器Ｃ１の取り出し後に第２載置台Ｔ２を第１位置へ手動により揺動させる必要もない。また、第２載置台Ｔ２が該第２載置台Ｔ２の自重により第１位置に保持されるから、極めて簡単な構成とすることができる。
【００３７】
(第２実施例)
図１０〜図１５は、第２実施例の容器スタンドＳ２を示す概略斜視図である。第２実施例の容器スタンドＳ２は、ベース部材６０の上面に設けられた第１載置部(載置部)６１を備え、第１容器Ｃ１を載置する第１載置台Ｔ１と、ベース部材６０の上面に固定したブラケット６２に取り付けられた一対の載置体(左載置体８０および右載置体８１)を備え、第２容器Ｃ２を載置する第２載置台Ｔ２とを備えている。第２実施例の容器スタンドＳ２は、第１実施例の容器スタンドＳ１と同様に、第１載置台６１に載置した第１容器Ｃ１の上部開口縁１９と第２載置台Ｔ２に載置した第２容器Ｃ２の上部開口縁１９との位置を略同じ高さにすることで、両容器Ｃ１,Ｃ２の上部開口縁１９から放出部１４の下端までの距離Ｗが略同じになるように構成されている。
【００３８】
前記第１載置台Ｔ１を構成するベース部材６０は、図１０および図１１に示すように、ステンレス板からプレス成形された横長で矩形の逆トレー状の成形部材である。ベース部材６０は、横長矩形をなす支持板部６４と、この支持板部６４の左右および前後の各縁から下方へ折り曲げられた外縁部６５とからなり、支持板部６４の略中央に形成された円形の凹部が第１載置部６１として機能するようになっている。支持板部６４における第１載置部６１の後側には、ブラケット６２を固定するためのブラケット取付部６６が設けられている。また、支持板部６４の上面には、第１載置部６１の左側上方の右側上方まで該第１載置部６１の後縁に沿って湾曲するように延在形成されたストッパ６７が配設されており、第１載置部６１に載置した第１容器Ｃ１が該ストッパ６７に当接し得るようになっている。なお支持板部６４には、第１載置部６１の左側、右側および前側に、複数のスリット６８が形成されており、該支持板部６４の上面に零れた氷が溶けて生じた氷解水が下方へ落下し得るようになっている。
【００３９】
第１載置部６１は、図１０に示すと共に前述したように、ベース部材６０の支持板部６４に一体的に形成されており、該支持板部６４の上面より一段低い円形の容器受部７５を備えている。容器受部７５の中央部には排水口７６が形成されると共に、該容器受部７５の外周部には周方向へ所要間隔毎に複数の排水口７７が形成されており、該第１載置部Ｔ１の上面に落下した飲料水や氷が溶けた氷解水が、排水口７６,７７を介して下方へ排出可能に構成されている。
【００４０】
前記ブラケット６２は、図１０〜図１３に示すように、前側から見た形状が略矩形の門形に形成され、ベース部材６０の上面に固定される第１ブラケット７０と、前側から見た形状が横長の門形に形成され、第１ブラケット７０の上板部７０Ａの上面に取り付けられた第２ブラケット７１とからなり、第２ブラケット７１の水平に延在する上板部７１Ａと第１ブラケット７０の水平に延在する上板部７０Ａとが、所要の間隔をおいて上下に対向している。そして、第１ブラケット７０の上板部７０Ａと第２ブラケット７１の上板部７１Ａとの間には、下端が第１ブラケット７０の上板部７０Ａに固定支持されると共にする上端が第２ブラケット７１の上板部７１Ａに固定支持された２本の支軸７２,７２が、軸方向が上下に延在した状態で左右に離間して配設されている。
【００４１】
前記第２載置台Ｔ２を構成する左載置体８０および右載置体８１は、水平方向に分割されて左右対称形状に形成されている。左載置体８０および右載置体８１は、前記支軸７２が上下に貫通する貫通孔８２Ａが形成された支持部８２と、該支持部８２から前方へ湾曲状に延出する保持部８３と、該保持部８３から対向する載置体側へ水平に延出する容器受部８４とを備えて、支持部８２、保持部８３および容器受部８４が一体に形成されている。すなわち、左載置体８０および右載置体８１は、ブラケット６２に配設された各支軸７２,７２が支持部８２の貫通孔８２Ａに上下に貫通することで、該支軸７２を回転中心として水平方向に旋回するようになっている。また、左載置体８０の支持部８２および右載置体８１の支持部８２は、貫通孔８２Ａを挟んで保持部８３との連設部と反対側の部分に、該貫通孔８２Ａを中心として円弧状に延在するギア(連係手段)８５が形成されており、両ギア８５,８５が噛合した状態で左載置体８０および右載置体８１が配設されている。従って、左載置体８０および右載置体８１は、水平方向に連動しながら逆方向へ旋回して、容器受部８４,８４が互い近接または離間するようになっている。そして、左載置体８０および右載置体８１の両容器受部８４,８４が互いに近接した状態(図１０、図１１(ａ)参照)が第２載置台Ｔ２の第１位置であり、両載置体８０,８１の容器受部８４,８４が互いに離間して第１載置部６１の上方から左右に退避した状態(図１１(ｂ)、図１４参照)が第２載置台Ｔ２の第２位置である。
【００４２】
そして第２載置台Ｔ２は、第１位置において左載置体８０と右載置体８１との間に隙間が形成され、該第２載置部Ｔ２の上面に落下した飲料水や氷が溶けた氷解水が隙間を介して下方へ排出可能に構成されている。また、左載置体８０および右載置体８１は、合成樹脂製の成形部材であり、出し入れする第２容器Ｃ２の接触による衝撃を緩和して該容器Ｃ２が傷付いたり破損するのを防止し得るようになっており、ガラス製の第２容器Ｃ２も好適に使用可能である。更に、左載置体８０および右載置体８１は、第１載置部６１に対して出し入れする第１容器Ｃ１の接触による衝撃を緩和して該容器Ｃ１が傷付いたり破損するのを防止し得るから、ガラス製の第１容器Ｃ１も好適に使用可能である。
【００４３】
また、左載置体８０の支持部８２および右載置体８１の支持部８２には、図１１(ａ)および図１１(ｂ)に示すように、周方向へ突出した係止部８６が形成されている。両載置体８０,８１の係止部８６,８６には、上方から見て左右中央が後方へ凸となる湾曲状に形成された付勢手段としての板バネ(付勢手段)８７が配設されている。この板バネ８７は、左載置体８０および右載置体８１を、常に第１位置側へ弾力的に保持するよう付勢した状態で配設されており、左載置体８０および右載置体８１が第２位置に向けて旋回する際には両載置体８０,８１の係止部８６,８６が相対的に近接することで屈曲度合が大きくなって圧縮的に弾性変形するようになっている。
【００４４】
そして、図１３に示すように、第２載置台Ｔ２の第１位置においては、第１載置部６１の容器受部７５の上面から、第２載置台Ｔ２の左載置体８０および右載置台８１の容器受部８４の上面までの垂直方向での距離Ｈが、第１容器Ｃ１の高さ寸法ｈ１と第２容器Ｃ２の高さ寸法ｈ１の差(ｈ１−ｈ２)と略同じに設定されている。従って、第２実施例の容器スタンドＳ２は、第１載置台Ｔ１の第１載置部６１に載置された第１容器Ｃ１の上部開口縁１９の高さ位置と、第２載置台Ｔ２の左載置体８０および右載置体８１に載置された第２容器Ｃ２の上部開口縁１９の高さ位置とが、略同じになるようになっている。
【００４５】
(第２実施例の作用)
前述のように構成された第２実施例の容器スタンドＳ２は、第１載置台Ｔ１および第２載置台Ｔ２の何れも使用されていない状態では、第２載置台Ｔ２の左載置体８０および右載置体８１が、第１載置台Ｔ１の容器受部７５の真上で水平姿勢となる第１位置に、板バネ８７の付勢力により保持される。すなわち、第２実施例の容器スタンドＳ２は、第１容器Ｃ１および第２容器Ｃ２が載置されていない場合に、第２載置台Ｔ２の左載置体８０および右載置体８１が第２位置に保持された状態とならないから、第２容器Ｃ２を第１載置台Ｔ１の容器受部７５に載置して氷塊を放出するという誤使用が好適に防止される。
【００４６】
第１載置台Ｔ１に第１容器Ｃ１を載置する場合には、該第１容器Ｃ１を前側から第１載置台Ｔ１に載置する際に、該第１容器Ｃ１が第２載置台Ｔ２の左載置体８０および右載置体８１の容器受部８４,８４の前縁部に当接するようになる。これにより、第２載置台Ｔ２の左載置体８０および右載置体８１は、図１１(ｂ)、図１４および図１５に示すように、左右水平方向へ連動して旋回することで第１載置台Ｔ１の上方から側方へ退避するから、第１載置台Ｔ１の容器受部７５に対して第１容器Ｃ１の載置が可能となる。第１載置台Ｔ１の容器受部７５に載置した第１容器Ｃ１は、該第１容器Ｃ１の上部開口縁１９が放出部１４の下端から距離Ｗで離間しているから、該放出部１４から放出された氷塊が該第１容器Ｃ１内に適切に放出され、該第１容器Ｃ１の外部に零れることが防止される。また、左右方向へ旋回した第２位置の左載置体８０および右載置体８１が第１容器Ｃ１に左右方向が当接するから、該第１容器Ｃ１は左右方向への倒れが防止される。
【００４７】
そして、所定の氷塊の放出が完了して第１容器Ｃ１を第１載置台Ｔ１から取り出すと、第２載置台Ｔ２の左載置体８０および右載置体８１は、前記板バネ８７の付勢力により、水平方向へ連動して旋回して第１位置に移動すると共に、第１載置部６１の真上となる該第１位置で保持される。
【００４８】
第２載置台Ｔ２に第２容器Ｃ２を載置する場合には、図１２および図１３に示すように、第１位置に板バネ８７により付勢保持されている左載置体８０および右載置体８１の容器受部８４に対して、該第２容器Ｃ２を前側から載置するだけである。第２載置台Ｔ２の左載置体８０および右載置体８１は、板バネ８７により第１位置に付勢保持されているから、第２容器Ｃ２を容器受部８４,８４に載置する際に不用意に旋回することが防止される。第２載置台Ｔ２の左載置体８０および右載置体８１に載置した第２容器Ｃ２は、該第２容器Ｃ２の上部開口縁１９が放出部１４の下端から適切な距離Ｗで位置しているから、該放出部１４から放出された氷塊が該第２容器Ｃ２内に適切に放出され、該第２容器Ｃ１から外部に零れることが防止される。
【００４９】
従って、第２実施例の容器スタンドＳ２によれば、第１載置台Ｔ１の容器受部７５に第１容器Ｃ１を載置することで、該第１容器Ｃ１の上部開口縁１９と放出部１４との距離Ｗが適切な範囲内となり、該放出部１４から放出された氷塊が該第１容器Ｃ１内に適切に放出され、該氷塊が該第１容器Ｃ１から零れることを防止し得る。また、第２載置台Ｔ２の左載置体８０および右載置体８１に第２容器Ｃ２を載置することで、該第２容器の上部開口縁１９と放出部１４との距離Ｗが適切な範囲内となり、該放出部１４から放出された氷塊が該第２容器Ｃ２内に適切に放出され、該氷塊が該第２容器Ｃ２から零れることを防止し得る。
【００５０】
そして、容器スタンドＳ２の非使用時には、第２載置台Ｔ２の左載置体８０および右載置体８１が第１載置台Ｔ１の容器受部７５の真上である第１位置に、板バネ８７の付勢力により付勢保持されるから、第２容器Ｃ２を第１載置台Ｔ１の容器受部７５に載置した状態で放出部１４から氷塊を放出する誤使用を防止することができる。また、第１容器Ｃ１を第１載置台Ｔ１の容器受部７５に載置する際には、該第１容器Ｃ１で第２載置台Ｔ２の左載置体８０および右載置体８１を押すだけで、該左載置体８０および右載置体８１が第１位置から第２位置へ旋回して姿勢変位するから、第１容器Ｃ１を把持した片方の手だけで第１容器Ｃ１を第１載置台Ｔ１に載置させることができ、第１載置台Ｔ１に対する第１容器Ｃ１の載置に手間が掛からない。同様に、第１載置台Ｔ１の容器受部７５に載置していた第１容器Ｃ１を取り出すことで、第２載置台Ｔ２の左載置体８０および右載置体８１が第１位置へ板バネ８７の付勢力により姿勢変位するから、第１容器Ｃ１の取り出し後に第２載置台Ｔ２を第１位置へ手動により旋回させる必要もない。
【００５１】
(変更例)
本願の容器スタンドは、前記実施例に例示した構成に限定されず、様々に変更して実施することが可能である。
（１）第１実施例の容器スタンドＳ１に、ねじりバネや板バネ等の付勢手段を装着して、該付勢手段により可動支持体３１を第１姿勢側に付勢することで、第２載置台Ｔ２を第１位置に弾力的に保持するよう構成してもよい。なお、可動支持体３１を付勢手段で第１姿勢側へ付勢するよう構成した場合には、第２載置体２３が第２位置に向けて姿勢変位する方向は、上方に限らず、下方、左方または右方であってもよい。
（２）第２実施例の容器スタンドＳ２は、第２載置台Ｔ２を、左右一対の載置体８０,８１から構成したものに限らず、１つの載置体または３つ以上の載置体から構成したものであってもよい。
（３）第２載置台Ｔ２は、第１実施例の揺動タイプおよび第２実施例の旋回タイプに限らず、前後または左右に直線的にスライドするスライドタイプであってもよい。
（４）各実施例では、アイスディスペンサＩＤに配設した容器スタンドＳ１,Ｓ２を例示したが、該容器スタンドは飲料ディスペンサに配設するものであってもよい。
（５）第２実施例では、第２載置台Ｔ２における左載置体８０および右載置体８１を連係する連係手段としてギア８５を例示したが、該連係手段は、リンク部材によるリンク機構や、カムによるカム機構等であってもよい。
（６）各実施例では、第１容器Ｃ１および第２容器Ｃ２を上下方向において直径が変化しないストレート形状を例示したが、両容器Ｃ１,Ｃ２は、高さ寸法が規定に設定されたものであれば形状は異なったものでもよく、また上部開口縁１９が底部より大径となるコップ形状であってもよい。
【符号の説明】
【００５２】
２３ 第２載置体(載置部、付勢手段)，３１ 可動支持体，３８Ａ 前端(規制手段)，
４４ 支軸，４５ ガイドピン(規制手段)，７２ 支軸，８０ 左載置体，８１ 右載置体，
８５ ギア(連係手段)，８７ 板バネ(付勢手段)，Ｃ１ 第１容器(容器)，
Ｃ２ 第２容器(容器)，Ｇ 重心，Ｔ１ 第１載置台，Ｔ２ 第２載置台，
【図１】
0005952606.tif 000002
【図２】
0005952606.tif 000003
【図３】
0005952606.tif 000004
【図４】
0005952606.tif 000005
【図５】
0005952606.tif 000006
【図６】
0005952606.tif 000007
【図７】
0005952606.tif 000008
【図８】
0005952606.tif 000009
【図９】
0005952606.tif 000010
【図１０】
0005952606.tif 000011
【図１１】
0005952606.tif 000012
【図１２】
0005952606.tif 000013
【図１３】
0005952606.tif 000014
【図１４】
0005952606.tif 000015
【図１５】
0005952606.tif 000016
【図１６】
0005952606.tif 000017